(57)【要約】【課題】  視覚障害者用の点字表示装置において、表示された点字の誤認識を防止することを目的とする。【解決手段】  点字パターンを構成する６点の表示位置を認識しやすくなるようなガイドを設け、どの点が凸状態なのかを明確にする。【選択図】  図１
2008129437.tif 000002
【特許請求の範囲】
【請求項１】
点字を表示するための表示手段と、表示位置を認識するための位置認識手段とを有することを特徴とする点字表示装置。
【請求項２】
前記位置認識手段は、前記表示手段の近傍に有することを特徴とする請求項１記載の点字表示装置。
【請求項３】
点字を表示するための表示手段と、該表示手段の表示を全て凸状態にさせるための凸状態表示手段とを有することを特徴とする点字表示装置。
【発明の詳細な説明】
【技術分野】
【０００１】
本発明は、視覚障害者用の点字表示装置に関するものである。
【背景技術】
【０００２】
視覚障害者などに情報を伝達する手段として、３行２列６点の凹凸の組み合わせにより文字情報を構成する点字が使用されていることは周知である。なお、６個の点は『マス』と呼ばれており、１マスあるいは複数のマスを用いて１文字を表現している。
【０００３】
点字の印刷物としては、点字タイプライタを用いて点字用紙上に突起を形成するものが実用化されており、利用者は用紙に形成された点字を指で触知することにより文章を認識する。
【０００４】
また、点字用紙を用いずに情報を伝達する手段として、特開平８−１６４６３５号公報に開示されているように、表示部に突起を形成するためのハンマを多数備え、ハンマを出退させることにより点字パターンを形成するような点字出力装置が提案されている。この場合、利用者は表示部上に形成された点字を触知して文章を認識する。
【０００５】
さらに、近年では、点字出力装置の小型化への取り組みがなされており、点字情報の１マス分のみの表示出力部を有し、設定された時間間隔により１マス分の情報を順次更新するような装置も複数提案されている。例えば、特開平１０−３１５５４６号公報に開示されている「点字出力システム」が挙げられる。図４にその実施例を示す。同図において、２０が点字を表示するヘッド部であり、ピン２１を出現させることにより利用者へ突起を触知させ、１マス分の点字パターンを認識させるようになっている。そして、１マス分の表示を順次更新していくことにより、文章全体を読み取ることができる。
【特許文献１】特開平８−１６４６３５号公報
【特許文献２】特開平１０−３１５５４６号公報
【発明の開示】
【発明が解決しようとする課題】
【０００６】
上記従来技術のような、１マス分の表示部から順次点字パターンが表示される装置においては以下のような解決すべき課題があった。
【０００７】
図５（Ａ）に示した３行２列の点字パターンにおいて、同図（Ｂ）のように第２・第４・第５の点を凸にした点字パターン（このパターンは『ロ』を表す）を表示した場合、指を接触させる位置によっては、同図（Ｃ）に示すように別の点字パターン（『ン』を表す）として認識してしまうことがあった。即ち、凸部１の数が少ない点字パターンが表示された際に、６箇所の凹凸部のうち、何番の点が凸になっているか把握しづらいことがあった。
【０００８】
このため、利用者が本来の文字ではなく、別の文字であると誤認識してしまう可能性があり、正確な情報伝達がされないという懸念点があった。
【０００９】
本発明は、上記点に鑑みてなされたものであり、その目的とするところは、表示された点字文字を誤認識することなく情報を正確に伝達することが可能な点字表示装置を提供することにある。
【課題を解決するための手段】
【００１０】
上記目的を達成するために本発明の請求項１に記載の点字表示装置は、点字を表示するための表示手段と、表示位置を認識させるための位置認識手段とを有することを特徴とする。
【００１１】
請求項２に記載の発明は、請求項１の位置認識手段は表示手段の近傍に備えることを特徴とする。利用者は、表示手段と位置認識手段の両方に指を接触させることにより、読み取り中の６箇所の点のうち、どの点が凸状態を示しているのかが認識しやすくなり、文字の誤認識を防止することが可能となる。
【００１２】
請求項３に記載の発明は、点字を表示するための表示手段と、この表示手段の表示を強制的に全て凸状態にさせるための凸状態表示手段とを有することを特徴とする。利用者が点字読み取り中に、何番の点が凸状態になっているかが分からなくなった際に、同手段を動作させることにより、６箇所全ての表示が凸状態となる。これにより、改めて表示手段の位置を認識することができ、文字の誤認識を防止することが可能となる。
【発明の効果】
【００１３】
以上説明したように、本発明の点字表示装置によれば、点字表示中においても、点字パターンを構成する６点の表示位置を認識することができ、その結果、文字を誤認識することなく情報を正確に伝達することが可能となる。
【発明を実施するための最良の形態】
【００１４】
以下、図面を参照して本発明を詳細に説明する。
【００１５】
［第一実施形態］
図１は、本発明が適用できる点字表示装置の第一の実施形態における点字表示装置の概略的模式図である。ここで、３は点字表示装置を示し、３行２列（６個）の突起出没部４が設けてある。さらに、突起出没部４を囲むような２辺にガイド５を設けてある。
【００１６】
利用者はこの６個の突起出没部４上へ指を接触させ、突起出没部４から出現した突起（不図示）を触覚により読み取る。このとき、指は突起出没部４のみならず、ガイド５へも同時に接触させることにより、ガイド５から出現中の突起までの距離を捕らえやすいため、何番の点に突起が出現しているのかを誤ることなく読み取ることができる。
【００１７】
なお、本実施の形態においては、ガイド５を図１に示したように、第１から第３の点の左側と、第１と第４の点の上側にかけて２辺配置してあるが、異なる位置に配置しても何ら問題なく、また、３辺あるいは４辺あってもよい。さらに形状も直線的でなく、曲線であってもよい。
【００１８】
［第二実施形態］
図２は、本発明が適用できる点字表示装置の第二の実施形態における点字表示装置の概略的模式図である。ここで、１１は突起位置リングであり、６個の突起出没部４をそれぞれ囲うように設けてある。
【００１９】
利用者は突起出没部４上へ指を接触させるが、このとき同時に突起位置リング１１上へも接触することになる。点字を表示させると、突起出没部４より突起１２が出現し、この突起１２を触知することにより、点字パターンを認識する。突起１２が出現しない箇所では、突起位置リング１１を触知することができるため、表示された点字パターンのうち突起１２出現数が少ないパターンにおいても、何番の点が凸となっているパターンであるかが分かり、誤認識することなく文字を読み取ることができる。
【００２０】
［第三実施形態］
図３は、本発明が適用できる点字表示装置の第三の実施形態における点字表示装置の概略的模式図である。突起出没部４の横に、全突起出現スイッチ１３が設けてある。
【００２１】
点字読み取り中に、突起１２の出現数が少ない点字パターンが表示され、何番の点が凸となっているか分からなくなった際に、この全突起出現スイッチ１３を押すことにより、その間、６箇所全ての突起出没部４から突起１２が出現する。これにより、６箇所の点の位置を改めて認識することができ、文字の誤認識をなくすことができる。
【図面の簡単な説明】
【００２２】
【図１】本発明の第一の実施形態を説明する概略的模式図である。
【図２】本発明の第二の実施形態を説明する概略的模式図である。
【図３】本発明の第三の実施形態を説明する概略的模式図である。
【図４】従来技術を説明するための図である。
【図５】従来技術の課題を説明するための図である。
【符号の説明】
【００２３】
１  凸部
２  凹部
３  点字表示装置
４  突起出没部
５  ガイド
１１  突起位置リング
１２  突起
１３  全突起出現スイッチ
２０  表示ヘッド
２１  ピン
【図１】
2008129437.tif 000003
【図２】
2008129437.tif 000004
【図３】
2008129437.tif 000005
【図４】
2008129437.tif 000006
【図５】
2008129437.tif 000007